(57)【要約】【課題】齧歯目に属する実験動物の尾部の外側尾静脈へ注射針を穿刺するために尾部を固定する穿刺補助器具の提供。【解決手段】前方端部断面及び後方端部断面の両方を露出させたＶ字溝を表面に与えられた尾部固定ブロックと、シリンジを載置し注射針をＶ字溝のＶ字開口に沿って後方端部断面から移動せしめるようシリンジをスライドさせ得るスライド溝を表面に与えられたシリンジ保持ブロックと、が基台上に固定されており、尾部固定ブロックは後方端部断面のＶ字溝の底部近傍からシリンジ保持ブロック方向に基台へ向けて延びる傾斜面を有し、シリンジ保持ブロックはスライド溝の基台からの距離の調整を与えて注射針とＶ字溝の開口との距離を調整可能とする高さ調整機構を有することを特徴とする。【選択図】図１
2020103683.tif 000002
【特許請求の範囲】
【請求項１】
齧歯目に属する実験動物の尾部の外側尾静脈へ注射針を穿刺するための補助器具であって、
前方端部断面及び後方端部断面の両方を露出させたＶ字溝を表面に与えられた尾部固定ブロックと、シリンジを載置し前記注射針を前記Ｖ字溝の開口に沿って前記後方端部断面から移動せしめるよう前記シリンジをスライドさせ得るスライド溝を表面に与えられたシリンジ保持ブロックと、が基台の上に固定されており、
前記尾部固定ブロックは前記後方端部断面の前記Ｖ字溝の底部近傍から前記シリンジ保持ブロックの方向に前記基台へ向けて延びる傾斜面を有し、前記シリンジ保持ブロックは前記スライド溝の前記基台からの距離の調整を与えて前記注射針と前記Ｖ字溝の前記開口との距離を調整可能とする高さ調整機構を有することを特徴とする注射針穿刺補助器具。
【請求項２】
前記尾部固定ブロックを加熱する温度調整機構を有することを特徴とする請求項１記載の注射針穿刺補助器具。
【請求項３】
前記温度調整機構は前記尾部固定ブロックにヒータを添付してなることを特徴とする請求項２記載の注射針穿刺補助器具。
【請求項４】
前記尾部固定ブロックの表面には温度によって色変化する感温材が与えられていることを特徴とする請求項２又は３に記載の注射針穿刺補助器具。
【請求項５】
前記傾斜面は曲面であって、前記Ｖ字溝に沿って配置された前記尾部を前記傾斜面に沿って固定したときに前記後方端部断面で屈曲する前記尾部の接線に沿って前記注射針を移動せしめ得ることを特徴とする請求項１乃至４のうちの１つに記載の注射針穿刺補助器具。
【請求項６】
前記シリンジ保持ブロックはその前記表面に対して傾斜した摺り合わせ平面を有して分割可能な２つのブロック体からなり、互いに前記摺り合わせ平面に沿って移動して前記シリンジを平行に維持しつつ前記スライド溝の前記基台からの距離の調整を与えることを特徴とする請求項１乃至５のうちの１つに記載の注射針穿刺補助器具。
【請求項７】
前記尾部固定ブロックの前記前方端部断面の前方で前記尾部を固定し前記尾部を前記Ｖ字溝に沿って配置させ得る前方固定部を含むことを特徴とする請求項１乃至６のうちの１つに記載の注射針穿刺補助器具。
【請求項８】
前方固定部は前記尾部を挟み持ち止血および尾部の固定を与えるクリップを含むことを特徴とする請求項７記載の注射針穿刺補助器具。
【発明の詳細な説明】
【技術分野】
【０００１】
本発明は、齧歯（げっし）目に属する実験動物の尾部の外側尾静脈へ注射針を穿刺するための補助器具に関し、特に、麻酔を要することなく該実験動物の尾部を固定し外側尾静脈への注射針の穿刺を確実に与えるための注射針穿刺補助器具に関する。
【背景技術】
【０００２】
マウスやラットといった齧歯目に属する実験動物の尾部に注射針を穿刺して薬剤の投与や採血などが行われている。かかる穿刺については担当者の手技による場合が多く、穿刺を確実にするための実験動物を動かないようにする保定器具や、穿刺部である尾部を固定する固定器具が提案されている。
【０００３】
例えば、特許文献１では、板状の本体の中心を通る中心線から左右の所定距離だけ離れた位置にマウスの後肢を膝まで通過可能な後肢用孔を設け、中心にはマウスの尾を挿入させる尾部用孔を設けた保定具が開示されている。かかる保定具にマウスを保定した上で尾部に注射針を穿刺しようとしたとき、マウスは本能的に前進しようとするため、担当者が手をかまれ難くなるとしている。
【０００４】
また、特許文献２では、マウスの胴部を下型ブロックの凹部と上型ブロックの凹部との間で保定して収容し、上下型ブロックの後方の穴部から尾部を伸ばして露出させる保定具を開示している。更に、特許文献３では、穿刺対象部位を安定した状態で固定すべく、基台にマウスの尾部の穿刺対象部位を挟み込んで固定する複数の固定用部材を設けた固定具が開示されている。
【０００５】
ところで、齧歯目に属する実験動物の尾部の外側部には細い静脈があって、この外側尾静脈へ注射針を穿刺し薬剤を投与し、又は、採血などが行われている。かかる外側尾静脈は皮下にあるため、正確な穿刺には熟練が必要とされる。
【０００６】
例えば、特許文献４では、ラットの外側尾静脈へ熟練を積まなくとも容易且つ確実に穿刺し採血することのできるガイド付きの注射針が開示されている。つまり、採血針の基端部外周に細径の固定部を与えることで、採血針の先端と細径の固定部の外周面とを結ぶ線と採血針の軸心線とのなす採血針の穿刺角度を小さくできて、穿刺する採血針の先端をラットの細い外側尾静脈に合致させて穿刺することが容易になるとしている。ここでは、ラットの尾部をわずかに曲げるようにして接線方向から採血針を穿刺している。
【先行技術文献】
【特許文献】
【０００７】
【特許文献１】特開２００８−２１２４１０号公報
【特許文献２】特開２０１１−１５３９１４号公報
【特許文献３】特開２０１３−２４４０９５号公報
【特許文献４】特開２００６−２２３３３４号公報
【発明の概要】
【発明が解決しようとする課題】
【０００８】
実験動物の外側尾静脈へ注射針を穿刺するにあたって、拘束時間を長く必要とすることや、負担の大きな麻酔を投与することは、実験動物に必要以上の苦痛を与えることになり、指針として避けるべきとされる。一方、特に、マウスの外側尾静脈は約０．３ｍｍ程度と非常に細く、その習得は容易ではない。更に、微量ではあるが高価な薬剤を尾静脈注射するような場合にはその失敗は許されない。故に、高い確率で、短時間に、且つ、確実に尾静脈注射できるよう、実験動物の尾部を固定し注射針を穿刺することのできる補助器具が求められた。
【０００９】
本発明は、かかる状況に鑑みてなされたものであって、その目的とするところは、齧歯目に属する実験動物の尾部の外側尾静脈へ注射針を穿刺するために尾部を固定する穿刺補助器具を提供することにある。
【課題を解決するための手段】
【００１０】
本発明による注射針穿刺補助器具は、齧歯目に属する実験動物の尾部の外側尾静脈へ注射針を穿刺するための補助器具であって、前方端部断面及び後方端部断面の両方を露出させたＶ字溝を表面に与えられた尾部固定ブロックと、シリンジを載置し前記注射針を前記Ｖ字溝の開口に沿って前記後方端部断面から移動せしめるよう前記シリンジをスライドさせ得るスライド溝を表面に与えられたシリンジ保持ブロックと、が基台の上に固定されており、前記尾部固定ブロックは前記後方端部断面の前記Ｖ字溝の底部近傍から前記シリンジ保持ブロックの方向に前記基台へ向けて延びる傾斜面を有し、前記シリンジ保持ブロックは前記スライド溝の前記基台からの距離の調整を与えて前記注射針と前記Ｖ字溝の前記開口との距離を調整可能とする高さ調整機構を有することを特徴とする。
【００１１】
かかる発明によれば、齧歯目に属する実験動物の尾部の外側尾静脈へ注射針を穿刺するために尾部を固定することができる。
【００１２】
上記した発明において、前記尾部固定ブロックを加熱する温度調整機構を有することを特徴としてもよい。かかる発明によれば、固定ブロックに固定された実験動物の尾部の外側尾静脈への注射針の穿刺を容易とするよう、外側尾静脈の怒張を促すことができる。
【００１３】
上記した発明において、前記温度調整機構は前記尾部固定ブロックにヒータを添付してなることを特徴としてもよい。さらに、前記尾部固定ブロックの表面には温度によって色変化する感温材が与えられていることを特徴としてもよい。かかる発明によれば、固定ブロックに固定された実験動物の尾部の加温及びその温度調節を容易とする。
【００１４】
上記した発明において、前記傾斜面は曲面であって、前記Ｖ字溝に沿って配置された前記尾部を前記傾斜面に沿って固定したときに前記後方端部断面で屈曲する前記尾部の接線に沿って前記注射針を移動せしめ得ることを特徴としてもよい。かかる発明によれば、尾部の表面に沿った外側尾静脈の延びる方向に注射針を移動できて、外側尾静脈への穿刺を容易とし得る。
【００１５】
上記した発明において、前記シリンジ保持ブロックはその前記表面に対して傾斜した摺り合わせ平面を有して分割可能な２つのブロック体からなり、互いに前記摺り合わせ平面に沿って移動して前記シリンジを平行に維持しつつ前記スライド溝の前記基台からの距離の調整を与えることを特徴としてもよい。かかる発明によれば、外側尾静脈に対する注射針の位置を容易に調整し、外側尾静脈への注射針の穿刺を容易とし得る。
【００１６】
上記した発明において、前記尾部固定ブロックの前記前方端部断面の前方で前記尾部を固定し前記尾部を前記Ｖ字溝に沿って配置させ得る前方固定部を含むことを特徴としてもよい。また、前方固定部は前記尾部を挟み持ち止血および尾部の固定を与えるクリップを含むことを特徴としてもよい。かかる発明によれば、尾部の固定を容易とし、また、外側尾静脈の怒張を促し、もって外側尾静脈への注射針の穿刺を容易とし得る。
【図面の簡単な説明】
【００１７】
【図１】本発明の実施例による注射針穿刺補助器具の側面図である。
【図２】尾部固定ブロックの（ａ）側面図及び（ｂ）正面図である。
【図３】シリンジ保持ブロックの（ａ）側面図及び（ｂ）正面図である。
【図４】注射針穿刺補助器具の使用例を示す側面図である。
【図５】注射針穿刺補助器具の使用例を示す要部の側面図である。
【図６】注射針穿刺補助器具の使用の有無による注射時間を示す表である。
【発明を実施するための形態】
【００１８】
以下、本発明の１つの実施例である注射針穿刺補助器具について、図１乃至図３に沿ってその詳細を説明する。
【００１９】
図１に示すように、注射針穿刺補助器具１００は、略平板状の基台１上で前方に固定される尾部固定ブロック１０と、後方に配置されるシリンジ保持ブロック２０と、尾部固定ブロック１０の前方に配置される前方固定部５とを含む。注射針穿刺補助器具１００は、尾部固定ブロック１０にラットやマウスなどの齧歯目に属する実験動物の尾部５０を固定し、シリンジ保持ブロック２０にシリンジ３０を保持させる。そして、注射針穿刺補助器具１００は、固定した尾部５０の外側尾静脈５１にシリンジ３０の注射針３１を穿刺するための補助器具である。
【００２０】
なお、説明を簡単にするために、基台１の主面のうち、尾部固定ブロック１０及びシリンジ保持ブロック２０の配置される面を上方の面として上下を定め、尾部固定ブロック１０側を前方、シリンジ保持ブロック側を後方とし、これに合わせて左右を定める。但し、注射針穿刺補助器具１００は傾けて使用することもあるため、この上下方向は重力方向とは必ずしも一致しない。
【００２１】
図２を併せて参照すると、尾部固定ブロック１０は、上側の表面１５の前方端部断面１５ａから後方端部断面１５ｂまで延びて上側に開口１１’を有するＶ字溝１１を備える。つまり、Ｖ字溝１１は、前方端部断面１５ａ及び後方端部断面１５ｂの両方に露出するように与えられている。後方端部断面１５ｂのＶ字溝１１の底部近傍からは、後方の基台１へ向けて延びる傾斜面１２を備える。傾斜面１２は、尾部５０に先端へ向かう張力を与えるなどして固定するように沿わせる面であり、傾斜面１２に沿って尾部５０を固定したときに、外側尾静脈５１に注射針３１を接線Ｌの開始点であるＶ字溝１１の後方端部断面１５ｂにおいて穿刺しやすくなる形状を尾部５０に与えるものである。ここでは、Ｖ字溝１１の底部から連続する直線を接線とする側面視で円弧状の曲面を形成している。例えば、これによってＶ字溝１１の後方端部断面１５ｂで屈曲された尾部５０の接線Ｌ（図５参照）もＶ字溝１１の底部から連続する直線に略平行となる。なお、傾斜面１２は、例えば、注射の熟練者の手技による方法と同様の曲率を尾部５０に与えるよう、直径１５ｍｍの円筒の側面と同等の曲率を持つ曲面とされることが好ましい。
【００２２】
尾部固定ブロック１０は、さらに、基台１に尾部固定ブロック１０を取り付けるための足部１３と、尾部５０をＶ字溝１１に固定するための１つの手段としての輪ゴム５２を取り付けるための突起部１４とを備える。足部１３は尾部固定ブロック１０と同一平面状にあるため、ヒータ２との接触面積を大きくして熱伝達を高める役割をも有する。また、尾部固定ブロック１０の下面には、これを加熱する温度調整機構としてシート型のヒータ２が添付される。さらに、表面１５の近傍の側面には、感温材として感温液晶シート３が貼り付けられ、その色の変化によって温度を推定できる。つまり、感温液晶シート３の温度による色変化によって推定される温度に基づきヒータ２の加熱出力を調整し、Ｖ字溝１１の加熱温度を調整するのである。
【００２３】
図３を併せて参照すると、シリンジ保持ブロック２０は、基台１上に配置される基部ブロック体２１と、基部ブロック体２１に対して基台１からの距離を調整可能な位置調整ブロック体２５との互いに分割可能な２つのブロック体を含む。基部ブロック体２１は、その前方に延びるアーム部２２の前方端を尾部固定ブロック１０に回動軸１９を介して枢着され、基台１から離間する方向に回動可能とされる。つまり、基部ブロック体２１は、尾部固定ブロック１０に対して前後方向の角度を調整できるようにされている。
【００２４】
また、基部ブロック体２１は、その左右の壁部２３ａ及び２３ｂの間、且つ、この間で前後方向に傾斜した摺り合わせ平面２４の上に位置調整ブロック体２５をスライド自在に挟持する。また、壁部２３ａに設けられた摺り合わせ平面２４と平行に延びる長孔２３ｃは、位置調整ブロック体２５から突出するピン体２７を収容している。これによって、位置調整ブロック体２５のスライド方向を安定させるとともに、スライド可能な距離を規制する。また、位置調整ブロック体２５のスライド位置を固定するために、先端を位置調整ブロック体２５の側面に押し付け得ることのできるようにネジ２８が壁部２３ａに貫通可能に螺合されている。なお、摺り合わせ平面２４は、例えば、基部ブロック体２１の底面に対して前方に２０度の角度で上向きに傾く平面とすることができる。
【００２５】
すなわち、位置調整ブロック体２５は、摺り合わせ平面２４に沿ってスライドすることで、摺り合わせ平面２４の傾斜に応じて基部ブロック体２１に対する高さを調整できる。つまり、基台１に対する位置調整ブロック体２５の高さも調整できる。また、位置調整ブロック体２５は、その上面にシリンジ３０をＶ字溝１１の開口１１’に沿って前後にスライド可能に保持するスライド溝２６を備える。スライド溝２６は、好ましくは、シリンジ３０の注射筒に合わせた曲率の溝であり、Ｖ字溝とすることで径の異なる注射筒を保持しつつスライド可能にしてもよい。これによって、スライド溝２６の基台１からの距離を調整し、スライド溝２６に保持したシリンジ３０の注射針３１の高さを調整することができる。また、基台１に固定された尾部固定ブロック１０のＶ字溝１１の開口１１’に対する注射針３１の高さを含む距離を調整し得る。
【００２６】
前方固定部５は、Ｖ字溝１１に沿って配置させるように尾部５０を固定するものであり、例えば、基台１から上方に延びる支柱部６と、その上端に固定されたクリップ７とを含む。クリップ７は、尾部５０を上記したように固定できるとともに、尾部５０を挟み持って圧迫することで止血するようにされることが好ましい。止血によって外側尾静脈５１の怒張を促し、外側尾静脈５１への注射針３１の穿刺を容易とし得る。このようなクリップ７の尾部５０を挟み持つ圧力は、実験動物に必要以上の苦痛を与えずに止血しつつ尾部５０を固定することのできるよう０．１２ＭＰａから０．１８ＭＰａの範囲であることが好ましく、０．１６ＭＰａ程度であることが最適である。
【００２７】
次に、注射針穿刺補助器具１００の使用方法について、図４及び図５に併せて図１及び図２を参照しつつ説明する。
【００２８】
まず、図４に示すように、実験動物６０は保定具１０１に入れられ、姿勢を安定させられて、尾部５０を後方に突出させる。注射針穿刺補助器具１００は、基台１を水平面に対して約３０度傾けるよう傾斜台８上に設置され、尾部固定ブロック１０に尾部５０が固定される。基台１を３０度傾けるのは、机上に載置された保定具１０１から出る尾部５０を人差し指と親指とでのみ固定する熟練者の注射の姿勢を再現するとともに、注射針３１の尾部５０への侵入を観察しやすくするためである。
【００２９】
図１及び図２を併せて参照すると、尾部５０は、クリップ７で前方固定部５に固定されるとともに輪ゴム５２でも固定され、Ｖ字溝１１に沿ってその内部に配置される。また、尾部５０の先端にも輪ゴムを取り付け、傾斜面１２の下方へ向けて尾部５０に張力を与えるように固定することが好ましい。また、図示しない穴部から基台１の下部に尾部５０を引っ張るようにできるようにしておいてもよい。あるいは、輪ゴム５２と同様のバンド体で尾部５０の先端を尾部固定ブロック１０に沿わせてもよい。そして、外側尾静脈５１が基台１に対して上方に向くようにされる。これによって、外側尾静脈５１がＶ字溝１１の中心の上方に配置され、注射針３１と左右位置を合致させるようにできる。また、クリップ７による固定で尾部５０の外側尾静脈５１は止血され、怒張を促される。
【００３０】
また、ヒータ２により尾部固定ブロック１０が加熱される。ヒータ２の出力は図示しない変圧器でコントロールされる。尾部固定ブロック１０は、３７℃〜４５℃の範囲で加熱されることが好ましい。温度の低下を急ぐ場合はエタノールを吹き付けてもよい。尾部固定ブロック１０の加熱により、固定される尾部５０も加熱され、外側尾静脈５１の怒張をさらに促される。なお、このような加熱や温度調節を行うため、尾部固定ブロック１０は熱伝導性が比較的高く適度な熱容量を有する材料で形成されることが好ましく、例えば、真鍮を用いることができる。
【００３１】
例えば、室温２５℃のとき、アズワン株式会社製のシリコンラバーヒーターＭＧ  ５０×１００ｍｍを用いて真鍮製で重量１３５ｇの尾部固定ブロック１０を加熱した場合、ＡＣ５０Ｖの出力で尾部固定ブロック１０を４０℃まで１０分間で加熱することができた。この後、出力を３０Ｖ程度に設定すれば、４０℃程度の一定温度を維持できる。尾部固定ブロック１０の温度は感温液晶シート３の色変化を観察しつつ手動で調節してもよい。
【００３２】
次に、シリンジ保持ブロック２０によって、シリンジ３０の位置を調整する。シリンジ保持ブロック２０においては、位置調整ブロック体２５を摺り合わせ平面２４に沿ってスライドさせて基部ブロック体２１に対する高さを調整することで、シリンジ３０の注射針３１の高さを調整する。位置調整ブロック体２５は平行移動するから、その上面のスライド溝２６に保持されたシリンジ３０の注射針３１の向きを変えずに高さを調整できる。
【００３３】
図５に示すように、シリンジ３０は、高さを調整されるとともに、その角度も調整され得る。すなわち、シリンジ保持ブロック２０は、アーム部２２の回動軸１９を中心としてシリンジ保持ブロック２０の後方端部を基台１から離間させるよう角度を付与され得る。これに伴い、シリンジ３０及びその注射針３１にも角度が付与される。
【００３４】
以上のような、シリンジ３０の高さ及び角度の調整は、傾斜面１２に沿って屈曲されて固定される尾部５０の屈曲の開始点となるＶ字溝１１の後方端部断面１５ｂ上における尾部５０の表面を注射針３１の刺し入れ位置とするように注射針３１の先端の位置を合わせるように行われ、さらには刺し入れ位置において尾部５０の表面に対して注射針３１に所定の角度を与えるように行われる。かかる所定の角度は、熟練者の手技による注射姿勢と同等とすることが好ましい。例えば、尾部５０の皮下０．１〜０．３ｍｍの深さにある外側尾静脈５１に、屈曲された尾部５０の接線Ｌに沿って注射針３１を穿刺し得る位置及び角度である。例えば、呼称「２９Ｇ」の注射針３１は、尾部５０の表面を若干窪ませる程度に押し付けられて、若干上向きに撓んで接線Ｌに沿った方向を向くようにされる。
【００３５】
このようにして刺し入れ位置を定めたら、シリンジ３０をスライド溝２６に沿って前方にスライドさせて、上記した刺し入れ位置から尾部５０に注射針３１を刺し入れ、外側尾静脈５１に穿刺することができる。
【００３６】
以上のような注射針穿刺補助器具１００によれば、齧歯目に属する実験動物６０の尾部５０の外側尾静脈５１へ注射針３１を穿刺するために尾部５０を固定することができ、かかる固定による補助により、熟練者でなくとも外側尾静脈５１に注射針３１を穿刺できる可能性を向上させ得る。
【００３７】
例えば、図６に示すように、熟練者でないものが注射針穿刺補助器具１００を使用しなかった場合と使用した場合とで、Ｃ５７ＢＬ／６Ｊブラックマウス（オス、１０週令）の尾部の外側尾静脈への注射にかかった時間を測定した。その結果、注射針穿刺補助器具１００の使用により注射に要する作業時間が短縮されて、回数ごとの時間のばらつきも減った。
【００３８】
以上、本発明による実施例及びこれに基づく変形例を説明したが、本発明は必ずしもこれに限定されるものではなく、当業者であれば、本発明の主旨又は添付した特許請求の範囲を逸脱することなく、様々な代替実施例及び改変例を見出すことができるであろう。
【符号の説明】
【００３９】
１    基台
５    前方固定部
１０    尾部固定ブロック
２０    シリンジ保持ブロック
３０    シリンジ
１００    注射針穿刺補助器具
【図１】
2020103683.tif 000003
【図２】
2020103683.tif 000004
【図３】
2020103683.tif 000005
【図４】
2020103683.tif 000006
【図５】
2020103683.tif 000007
【図６】
2020103683.tif 000008